(57)【要約】【課題】  従来の空調装置用操作装置は、空調条件を選択する操作及び空調条件を決定する操作が面倒で、しかも配置スペースが大きかった。【解決手段】  空調装置用操作装置は、空調装置において複数の空調条件の何れか一つを選択するために操作される三つの選択部材８０，８５，９０と、選択部材で選択された空調条件の内容を決定するために操作される一つの決定部材７５と、を備えている。三つの選択部材の何れか一つを操作して空調条件を選択した後、決定部材を操作して空調条件の内容を決定する。【選択図】  図２
2006264553.tif 000002
【特許請求の範囲】
【請求項１】
空調装置において複数の空調条件の何れか一つを選択するために操作される選択部材（８０，８５，９０）と、
前記選択部材で選択された空調条件の内容を決定するために操作される一つの決定部材（７５）と、
を備えたことを特徴とする空調装置用操作装置。
【請求項２】
前記選択部材は円周方向に配置され押込可能な複数のボタンであり、前記決定部材は回転可能なダイヤルであり、複数の該ボタンは該ダイヤルの内部又は周囲に配置されている請求項１に記載の空調装置用操作装置。
【請求項３】
前記選択部材は所定方向に配置され押込可能な複数のボタンであり、前記決定部材は複数の該ボタンの近くに配置され該所定方向にスライド可能なスライドレバーである請求項１に記載の空調装置用操作装置。
【請求項４】
前記ダイヤル及び前記スライドレバーは、選択された空調条件の内容をその全レンジで決定する請求項２又は３に記載の空調装置用操作装置。
【請求項５】
複数の前記選択部材はそれぞれ、その操作時に照明され選択された空調条件を表示する第１表示部（１０２，１０３，１０４）を有する請求項１に記載の空調装置用操作装置。
【請求項６】
更に、前記決定部材の操作時に照明され、選択された空調条件の内容を表示する複数の第２表示部（６４，６７から６９，７１）を備える請求項１に記載の空調装置用操作装置。
【請求項７】
複数の前記第２表示部はそれぞれ、複数の前記選択部材の近くに、前記決定部材の操作方向に沿って配置されている請求項６に記載の空調装置用操作装置。
【発明の詳細な説明】
【技術分野】
【０００１】
本発明は、車両の空調装置などにおいて、空調条件を選択及び決定するために操作される操作装置に関する。
【背景技術】
【０００２】
車両の空調装置では蒸発器（エバポレータ）を通過した冷風と、ヒータコアを通過した温風とで空調空気を生成する。空調空気の温度、吹出モード及び風量などの空調条件が車室内の空調環境を決める。このうち、温度はエバポレータ及びヒータコアの近傍に配置され、これらを通過する空気量を調整するエアミックスドアの回動角で決まる。吹出しモードはエバポレータ及びヒータコアの下流側に配置され、車室に通じる複数の吹出口を開閉する開閉ドアの回動角度で決まる。風量はファンの回転数で決まる。エアミックスドア、開閉ドア及びファンの作動量を車室内の操作装置で操作する。
【０００３】
従来の車両用空調装置のコントローラ（特許文献１参照）では、吹出モードを選択するための吹出モード選定つまみ、風量を調整するための風量調整つまみ及び温度を調整するための温度調整つまみが横方向に離れて配置されている。
【特許文献１】特開２００４−２９９４３９号公報
【発明の開示】
【発明が解決しようとする課題】
【０００４】
上記従来のコントローラは、乗員が車室内の最終的な空調環境を設定するまでに手間及び時間がかかる。つまり、吹出モード選定つまみを指でつまんで回動させる動作、手を移動させて風量調整つまみを指でつまんで回動させる動作、更に手を移動させて温度調整つまみを指でつまんで回動させる動作が必要である。のみならず、三つのつまみが横方向に並んで配置されているため、操作パネル上に広いスペースが必要になる。
【０００５】
本発明は上記課題に鑑みてなされたもので、複数の空調条件を簡単にかつ短時間で設定でき、しかも配置スペースが小さくできる空調装置用操作装置を提供することを目的とする。
【課題を解決するための手段】
【０００６】
（イ）本発明者は、空調条件の設定に当たり、空調条件の選択と決定とを別々の部材で行うことを着想して、本発明を完成した。本発明の空調装置用操作装置は、請求項１に記載したように、空調装置において複数の空調条件の何れか一つを選択するために操作される選択部材と、選択部材で選択された空調条件の内容を決定するために操作される一つの決定部材と、を備えている。選択部材を操作して空調条件を選択した後、決定部材を操作して空調条件の内容を決定する。
【０００７】
（ロ）以下、空調装置用操作装置の構成要素の種々の態様を説明する。
【０００８】
ａ．空調装置、空調条件
空調装置としては車両用空調装置が代表的であるが、これに限定されず、家庭用空調装置も含まれる。代表的な空調条件は温度、吹出モード及び風量などであるが、これらに限定されない。空調空気の温度はエアミックスドアの回動角で決まり、吹出モードは複数の吹出口を開閉する開閉ドアの回動角で決まり、風量はファンの回転数で決まる。
【０００９】
ｂ．選択部材
選択部材は、上記複数の空調条件の何れか一つを選択するために操作されるもので、空調条件と同数の選択部材が設けられることが望ましい。つまり、一つの選択部材で一つの空調条件を選択する。選択部材は押し込み可能な複数のボタンであることが望ましい。但し、後述するように、押込み毎に複数の空調条件がサイクル的に選択される一つの押込みボタンとしても良い。第１タイプの選択部材は押込可能で円周方向に配置された複数のボタンから成り、第２タイプは押込可能で所定方向（例えば横方向）に配置された複数のボタンから成る。何れのタイプでもボタンの押込み操作が検出素子で検出される。
【００１０】
ｃ．決定部材
決定部材は、上記選択部材で選択された空調条件の内容を決定するために操作されるもので、本発明では唯一つの決定部材を設ければ足りる。「内容」とは例えば温度の高低、吹出モード（どの吹出口をどの程度開くか）、又は風量の多少である。決定部材には複数のタイプがあり、第１タイプは回転可能なダイヤルから成り、その内部又は周辺に上記円周方向に配置された複数のボタンを配置できる。第２タイプは所定の所定方向（例えば横方向）にスライド可能なスライドレバーから成り、スライド方向に沿って上記横方向に配置された複数のボタンを配置できる。何れのタイプでも、選択された空調条件の内容をその全レンジで決定する。ダイヤルの回転量やスライドレバーのスライド量が検出素子で検出される。
【００１１】
なお、一部上述したように、選択部材と決定部材とを別々に設けるのではなく、両者を一つの部材に組み込むこともできる。その場合、押込み毎に複数の空調条件がサイクル的に選択される押込みボタン部と、回転により空調条件の内容又は程度を決定するダイヤル部とを一体化すれば良い。
【００１２】
ｄ．表示部
複数の選択部材のそれぞれは、その上に形成され、操作されたとき照明され選択された空調条件を表示する第１表示部を有することが望ましい。また、操作装置は決定部材の操作時に照明され、選択された空調条件の内容を表示する、選択部材と同数の第２表示部を備えることが望ましい。各第２表示部は各選択部材の近傍に、しかも決定部材の操作方向に沿って配置することが望ましい。例えば、選択部材が円周方向に配置された複数のボタンの場合は複数の第２表示部を円周方向に配置し、選択部材が直線方向に配置された複数のボタンの場合は複数の第２表示部をこれと平行な直線方向に配置する。
【発明の効果】
【００１３】
本発明の空調装置用操作装置によれば、選択部材で選択した空調条件を決定する決定部材が単一であるので、空調条件の内容の決定時は常にこの一つの決定部材を操作すれば良く、内容決定操作が簡単になる。また、決定部材が単一であるので、配置スペースが小さく済み、操作装置をコンパクトにできる。
【００１４】
請求項２の空調装置用操作装置によれば、選択部材が押込み可能な複数のボタンから成るので操作が容易である。また、複数のボタンがダイヤルの内部又は周辺にスペース効率良く配置されているので、操作装置を更にコンパクトにできる。請求項３の空調装置用操作装置によれば、選択部材が押込可能で所定方向に配置された複数のボタンから成り、その寸法を大きくできるので操作が容易である。請求項４の空調装置用操作装置によれば、ダイヤル又はスライドレバーの全レンジが選択された空調条件の全範囲に対応するので、空調条件の内容を細かく、正確に決定できる。
【００１５】
請求項５の空調装置用操作装置によれば、各選択部材の操作時はその選択内容を表示する第１表示部が照明されるので、選択の事実を視覚的に認識できる。請求項６及び７の空調装置用操作装置によれば、決定部材の操作時は選択部材の近くの第２表示部が操作量に対応する範囲で照明され、操作方向と点灯方向とを対応させることにより、決定される内容を直感的に把握できる。
【発明を実施するための最良の形態】
【００１６】
以下、本発明の最良の形態を添付図面を参照しつつ説明する。
【００１７】
＜実施形態＞
（イ）構成
図１に空調装置の全体を示す。筒状の空調ケース１０の上流側（図１で左側）に内外気切替ドア１１が軸支され、ファン１２が収容されている。ファン１２はモータ１３で作動される。中間部にエバポレータ１５及びヒータコア１６が収容され、ヒータコア１６の近くにエアミックスドア１７が軸支されている。下流側にはフットドア１８、フェイスドア２１及びデフドア２３が軸支され、フット吹出口１９、フェイス吹出口２２及びデフ吹出口２４を開閉するようになっている。ファン１２の回転数が空調空気の風量を決め、エアミックスドア１７の回動角が空調空気の温度を決める。フットドア１８，フェイスドア２１及びデフドア２３の何れを、どの程度回動させるかにより吹出モードが決まる。
【００１８】
ファン１２を回転させるモータ１３の作動量、エアミックスドア１７を回動させるモータ（不図示）の作動量、及び三つの開閉ドア１８、２１及び２３を開閉させるモータ（不図示）作動量を、図２、図３、図４及び図５に示す操作表示装置で操作及び表示する。
【００１９】
図２に示す操作表示装置は、中央部、左側部及び右側部を含む。中央部については後述する。左側部ではフロントデフスイッチ３２、リアデフスイッチ３３及び内外気切替スイッチ３４が上下方向に配置されている。この三つのスイッチ３２から３４の内側には後述する表示板６２上にそれぞれフロントデフ選択表示部３６、リヤデフ選択表示部３７及び内気選択表示部３８が形成されている。フロントデフスイッチ３２を押すと図４に示すＬＥＤ５９ａでフロントデフ表示部３６が照明され、リアデフスイッチ３３を押すとＬＥＤ５９ｂでリヤデフ選択表示部３７が照明され、内外気切替スイッチ３４を押すとＬＥＤ５９ｃで内気選択表示部３８が照明されるようになっている。
【００２０】
右側部では吹出モード及び風量を自動制御するオートスイッチ（ＡＵＴＯ）４２、風量ＯＦＦスイッチ４３、及びコンプレッサを作動させるエアコンスイッチ（Ａ／Ｃ）４４が上下方向に配置されている。オートスイッチ（ＡＵＴＯ）４２及びエアコンスイッチ（Ａ／Ｃ）の内側にそれぞれオート選択表示部４６及びエアコン選択表示部４７が形成されている。オートスイッチ４２を押すと図４に示すＬＥＤ５９ｄでオート選択表示部４６が照明され、エアコンスイッチ４４を押すとＬＥＤ５９ｅでエアコン選択表示部４７が照明されるようになっている。
【００２１】
中央部はケース５２、基板５４、表示板６２、一つのダイヤル７５、三つのボタン８０、８５及び９０、及び表示板１００等を含む。図３及び図４において、ケース５２内に取り付けられた基板５４に三つのＬＥＤ５５ａ、５５ｂ及び５５ｃ，三つのスイッチ５６ａ、５６ｂ及び５６ｃ、一つのロータリエンコーダ５７、三群のＬＥＤ５８ａ、５８ｂ及び５８ｃが実装されている。
【００２２】
ケース５２及び基板５４を覆う表示板６２の中心の円形孔６３に設定ダイヤル７５が配置されている。設定ダイヤル７５は中心の柱状部７６、外周の円筒部７７及び両者をつなぐ複数の放射部（不図示）を含み、柱状部７６がケース５２の中心支柱５２ａによりに回転可能に支持され、その回転量が上記ロータリエンコーダ５７で検出されるようになっている。設定ダイヤル７５の柱状部７６、円筒部７７及び放射部で区画される空間内に温度設定ボタン８０、吹出モード設定ボタン８５及び風量設定ボタン９０が押込み可能に配置されている。
【００２３】
図２及び図３において、温度設定ボタン８０はプリズムから成り、ほぼ三角形状の押さえ部（上壁部）８０ａと内壁部８０ｂとを持ち、外壁部及び底壁部が補強部材８２で補強されている。吹出モード設定ボタン８５及び風量設定ボタン９０も同様の構成を持つ。三つのボタン８０，８５及び９０が設定ダイヤル７５の円周を三等分する位置に配置されている。温度設定ボタン８０の押込みが基板５４上のスイッチ５６ａで検知され、吹出モード設定ボタン８５の押込みがスイッチ５６ｂで検知され、風量設定ボタン９０の押込みがスイッチ５６ｃで検知される。これらのボタン８０，８５及び９０はそれぞれ図４に示す温度設定用ＬＥＤ５５ａ，吹出モード設定用ＬＥＤ５５ｂ又は風量設定用ＬＥＤ５５ｃからの光で点灯される。
【００２４】
設定ダイヤル７５の上端開口に被せた円板形状の表示板１００が三つの温度設定ボタン８０、吹出モード設定ボタン８５及び風量設定ボタン９０をおおっている。表示板１００の外周縁に温度設定選択表示部（「ＴＥＭＰ」の文字）１０２、吹出モード設定選択表示部（「着席した人」のマーク）１０３及び風量設定選択表示部（「ファン」のマーク）１０４が形成されている。これらの表示部１０２から１０４はボタン８０，８５及び９０が点灯したとき、それぞれ上記ＬＥＤ５５ａ，ＬＥＤ５５ｂ又はＬＥＤ５５ｃにより照明される。
【００２５】
表示板６２上の内周縁に沿って「１８」、「２５」、「３２」、「・・・」、「ＭＯＤＥ」及び「ファンマーク」が形成されている。その外周側に上半周にわたって設定温度表示部６４が形成され、図４に示す設定温度用ＬＥＤ５８ａで照明されるようになっている。「３２」の下方に形成された吹出口Ｆデフ表示部６７、吹出口横表示部６８及び吹出口下表示部６９は設定吹出口用ＬＥＤ５８ｂで照明される。「１８」の下方に形成された設定風量表示部７１は設定風量用ＬＥＤ５８ｃで照明される。
【００２６】
図５に制御系統図を示す。ＣＰＵ１１０に電源、リセットを介してイグニッションスイッチ１１２が接続されている。また、上記温度設定ボタン８０の押込みでオンするスイッチ５６ａ、吹出モード設定ボタン８５の押込みでオンするスイッチ５６ｂ、及び風量設定ボタン９０の押込みでオンするスイッチ５６ｃからの押込信号が入力されている。さらに、設定ダイヤル７５の回動量を検知するロータリエンコーダ５７からの信号がＣＰＵ１１０に入力されている。
【００２７】
ＣＰＵ１１０から温度設定用ＬＥＤ５５ａ、吹出モード設定用ＬＥＤ５６ｂ及び風量設定用ＬＥＤ５６ｃに信号が発せられる。また、設定温度用ＬＥＤ５８ａ、設定吹出口用ＬＥＤ５８ｂ及び設定風量ＬＥＤ５８ｃに信号が発せられる。ＣＰＵ１１０からファン１２を駆動するモータ１３や、エアミックスドア１７及び開閉ドア１８、２１及び２３を駆動するモータ（不図示）に駆動信号が発せられる。
【００２８】
（ロ）作用
次に、図６のフローチャートを参照しつつ実施形態の作用を説明する。ステップＳ１０において、エアコンスイッチ４４の押込みで状態判定処理がスタートする。ステップＳ１１で温度設定ボタン８０がオンされたか否かを判定する。ＹＥＳの場合ステップＳ１２に進んで状態を温度設定状態に設定し、ステップＳ１３で温度設定用ＬＥＤ５５ａがオンして発光し、温度設定ボタン８０が点灯され、温度設定選択表示部１０２が照明される。ステップＳ１４で吹出モード設定用ＬＥＤ５５ｂをオフし、ステップＳ１５で風量設定用ＬＥＤ５５ｃをオフする。その結果、設定ダイヤル７５はその全レンジが温度決定状態になる。次に、ステップＳ１６で設定ダイヤル７５を回転すると、設定温度用ＬＥＤ５８ａの発光で設定温度表示部６４が回転量に対応した範囲で円弧状に照明される。また、エアミックスドア１７が回動し、設定ダイヤル７５で決定した温度に設定される。ステップＳ１７で状態判定処理を終了する。
【００２９】
上記ステップＳ１１での判定がＮＯの場合はステップＳ２１に進み、吹出口設定ボタン８５がオンされたか否かを判定する。ＹＥＳの場合、ステップＳ２２で状態を吹出モード設定状態に設定する。ステップＳ２３で温度設定用ＬＥＤ５５ａをオフし、ステップＳ２４で吹出モード設定用ＬＥＤ５５ｂをオンして吹出モード設定ボタン８５を点灯させ、吹出モード設定選択表示部１０３を照明する。ステップＳ２５で風量設定用ＬＥＤ５５ｃをオフする。その結果、設定ダイヤル７５はその全レンジが吹出モード決定状態になる。ステップＳ２６で設定ダイヤル７５を回転すると、吹出モード設定用ＬＥＤ５８ｂの発光で回転量に対応した設定吹出口表示部６７，６８又は６９が点灯する。また、開閉ドア１８、２１又は２３が回動し、設定ダイヤル７５で決定した吹出モードに設定される。
【００３０】
上記ステップＳ２１での判定がＮＯの場合はステップＳ３１に進み、風量設定ボタン９０がオンされたか否かを判定する。ＹＥＳの場合、ステップＳ３２で状態を風量設定状態に設定する。ステップＳ３３で温度設定用ＬＥＤ５５ａをオフし、ステップＳ３４で吹出モード設定ＬＥＤ５５ｂをオフする。ステップＳ３５で風量設定用ＬＥＤ５５ｃをオンし、風量設定ボタン９０を点灯させ風量設定選択表示部１０４を照明する。その結果、設定ダイヤル７５はその全レンジが風量決定状態になる。ステップＳ３６で設定ダイヤル７５を回転すると、設定風量用ＬＥＤ５８ｃの発光で回転量に対応した範囲の設定風量表示部７１が円弧状に点灯する。また、ファン１３が回転し、設定ダイヤル７５で決定した風量に設定される。
【００３１】
こうして、温度設定ボタン８０及び設定ダイヤル７５で温度が設定され、吹出口モード設定ボタン８５及び設定ダイヤル７５で吹出口モードが設定され、風量設定ボタン９０及び設定ダイヤル７５で風量が設定される。
【００３２】
（ハ）効果
実施形態によれば、以下の効果が得られる。まず、空調条件としての温度、吹出口モード及び風量の設定に要する手間が少なく、しかも時間が短くなる。これは、温度の高低、吹出口の選定及び風量の多少を単一の設定ダイヤル７５で決定したことによる。例えば温度設定ボタン８０を押込み設定ダイヤル７５を回転させる際、温度設定ボタン８０と設定ダイヤル７５との間の距離は非常に近いので、選択時と決定時とで手を移動させる必要がない。以上の事情は、吹出モード設定ボタン８５を押した後設定ダイヤル７５を回転させる場合、及び風量設定ボタン９０を押した後設定ダイヤル７５を回転させる場合も同様である。
【００３３】
また、温度設定ボタン８０、吹出モード設定ボタン８５及び風量設定ボタン９０は何れも設定ダイヤル７５内に配置され相互間の距離が短い。従って、設定ダイヤル７５の回転後吹出モード設定ボタン８５又は風量設定ボタン９０を押す場合も手の移動は不要である。三つのボタン８０，８５及び９０を設定ダイヤル７５内に配置したことはまた、スペース利用効率を向上させ、操作表示装置をコンパクトにできる。
【００３４】
更に、温度設定ボタン８０，吹出モード設定ボタン８５及び風量設定ボタン９０の押込みを、それぞれ温度設定選択表示部１０２，吹出口モード設定選択表示部１０３及び風量設定選択表示部１０４で視覚的に確認できる。例えば温度設定ボタン８０を押すと、このボタン８０が点灯するとともに、温度設定選択表示部１０２が照明される。吹出モード設定ボタン８５及び風量設定ボタン９０の押込みについても同様である。
【００３５】
加えて、温度設定ボタン８０を押した後設定ダイヤル７５を回転させると、温度設定ボタン８０のすぐ外周側にある設定温度表示部６４が、回転量に対応する範囲だけ照明される。しかも、設定ダイヤル７５の回転方向と設定温度表示部６４の点灯方向とが一致している。従って、乗員は温度値を直感的に把握に確認できる。同様に、吹出モード設定設定ボタン８５を押した後設定ダイヤル７５を回転させると、回転量に対応して吹出モード設定ボタン８５のすぐ外周側にある吹出口表示部６７から６９の何れかが照明される。風量ボタン９０を押した後設定ダイヤル７５を回転させると、回転量に応じて風量設定ボタン９０のすぐ外周側にある設定風量表示部７１が照明される。従って、乗員は吹出モード又は風量の多少を直感的に把握できる。
【００３６】
また、左側部にフロントデフスイッチ３２、リアデフスイッチ３３及び内外気切替スイッチ３４が配置され、その内側にそれぞれフロントデフ選択表示部３６、リヤデフ選択表示部３７及び内気選択表示部３８が形成されている。三つのスイッチ３２，３３及び３４間の距離は短いので、手を殆ど移動させることなくこれらを押せる。右側部のオートスイッチ（ＡＵＴＯ）４２、風量ＯＦＦスイッチ４３、及びエアコンスイッチ（Ａ／Ｃ）４４についても同様である。
【００３７】
しかも、左側部のフロントデフスイッチ３２を押すと図４に示すＬＥＤ５９ａでフロントデフ表示部３６が照明され、フロントデフの作動を視覚的に確認できる。リアデフスイッチ３３の作動及び内外気切替スイッチ３４の作動はそれぞれ表示部３７及び３８で確認できる。右側部のオートスイッチ４２及びエアコンスイッチ４４の作動はそれぞれ表示部４６及び４７で視覚的に確認できる。
【００３８】
更に、設定ダイヤル７５から左側の三つのスイッチ３２，３３及び３４までの距離も、右側の三つのスイッチ４２，４３及び４４までの距離も短い。従って、設定ダイヤル７５と左側のスイッチ３２など又は右側のスイッチ４２などとの間で、乗員は手をわずかに移動させるのみで良い。
【００３９】
＜変形例＞
以下、上記実施形態の変形例を示す。なお、実施形態と同じ構成は同じ参照番号で示し、異なる構成を中心に説明する。
【００４０】
（１）第１変形例
図７及び８に示す第１変形例では、温度設定ボタン１２２，吹出口設定ボタン１２４及び風量設定ボタン１２６と、設定ダイヤル１２０との位置関係が変更されている。即ち、設定ダイヤル１２０は外径が比較的小さく、その周辺に温度設定ボタン１２２、吹出口設定ボタン１２４及び風量設定ボタン１２６が円周方向に配置されている。温度設定ボタン１２２はプリズムから製作され、断面矩形状を持ち半周にわたって延び、表示板６２の切欠き孔６３に挿入され、その上に温度設定選択表示部１２３が形成されている。吹出口設定ボタン１２４及び風量設定ボタン１２６はそれぞれ四分の一周にわたって延び、その上にそれぞれ吹出モード設定選択表示部１２５及び風量設定選択表示部１２７が形成されている。ケース５２に収容された基板５４にはスイッチ５６ａ、温度設定用ＬＥＤ５５ａ及び設定温度用ＬＥＤ５８ａなどが配置されている。
【００４１】
第１変形例によれば、例えば温度設定ボタン１２２を押すとスイッチ５６ａがオンし、ＬＥＤ５５ａからの発光でこのボタン１２２が点灯し、温度設定選択表示部１２３が照明される。これにより、乗員は温度設定状態が選択されたことを視覚的に確認できる。ここで、温度設定ボタン１２２を設定ダイヤル１２０の外周側に配置したので、操作表示装置のコンパクト性を維持しつつ、温度設定ボタン１２２などを、上記温度設定ダイヤル８０などよりも大きくでき、操作しやすくなっている。
【００４２】
また、次に設定ダイヤル１２０を回転すると、ＬＥＤ５８ａからの発光で回転量に応じた範囲の設定温度表示部６４が照明され、設定温度を直感的に把握できる。この事情は、吹出モード設定ボタン１２４の押込み時及び設定ダイヤル１２０の回転時、及び風量設定ボタン１２６の押込み時及び設定ダイヤル１２０の回転時についても同様である。
【００４３】
（２）第２変形例
図９に示す第２変形例では、選択部材が横方向に並び押込み可能な三つのボタン１３２、１３４及び１３６から成り、決定部材がスライドレバー１３０から成る。詳述すると、押込み可能な温度設定ボタン１３２、風量設定ボタン１３４及び吹出モード設定ボタン１３６が横方向に配置されている。温度設定ボタン１３２上に温度設定選択表示部１３３が形成され、風量設定ボタン１３４上に風量設定選択表示部１３５が形成され、吹出モード設定ボタン１３６上に吹出モード設定選択表示部１３７が形成されている。
【００４４】
温度設定ボタン１３２、風量設定ボタン１３４及び吹出モード設定ボタン１３６の下方に配置されたスライドレバー１３０は、三つのボタン１３２、１３４及び１３６の配置範囲に対応するストローク内で横方向にスライド可能である。温度設定ボタン１３２の直上方に設定温度表示部１４２が、風量設定ボタン１３４の直上方に設定風量表示部１４４が、吹出モード設定ボタン１３６の直上方に吹出口表示部１４６が、それぞれ形成されている。
【００４５】
この第２変形例によれば、例えば乗員が温度設定ボタン１３２を押すと、このボタン１３２が点灯するとともに、その表面に形成された温度設定選択表示部１３３が照明される。その結果、乗員は温度設定ボタン１３２の押込みを視覚的に確認できる。また、移動ストロークが大きなスライドレバー１３０の全レンジが温度決定範囲になるので、スライドにより温度を正確に決定できる。更に、スライドレバー１３０のスライド時は、温度設定ボタン１３２の上方にある設定温度表示部１４２のスライド量に対応する範囲が照明され、しかもスライドレバー１３０のスライド方向と設定温度表示部１４２の点灯方向とが一致する。従って、乗員は設定温度を直感的に把握できる。
【００４６】
同様に、風量設定ボタン１３４を押すと、このボタン１３４が点灯するとともに、その表面の風量設定選択表示部１３５が照明される。スライドレバー１３０のスライド時は風量設定ボタン１３４の直上方にある設定風量表示部１４４がスライド量に対応して照明される。また、吹出モード設定ボタン１３６を押すと、このボタン１３６が点灯するとともに、その表面の吹出モード設定選択表示部１３７が照明される。スライドレバー１３０のスライド時はその直上方にある設定吹出口表示部１４６の何れかが照明される。
【図面の簡単な説明】
【００４７】
【図１】最良の形態の実施形態が適用される空調装置の説明図である。
【図２】実施形態の操作表示装置の正面図（外観図）である。
【図３】図２の３−３断面図である。
【図４】実施形態におけるスイッチ及びＬＥＤの配置を示す説明図である。
【図５】実施形態の制御系統の説明図である。
【図６】実施形態の作用を説明するフローチャートである。
【図７】第１変形例を示す図２に対応する正面図である。
【図８】図７の８−８断面図である。
【図９】第２変形例を示す図２に対応する正面図である。
【符号の説明】
【００４８】
１０：空調ケース            １２：ファン            １７：エアミックスドア
１８，２１，２３：開閉ドア        ５２：ケース      ５４：基板
５５ａから５５ｃ：スイッチ      ５６ａから５６ｃ、５８ａから５８ｃ：ＬＥＤ
６４，６７から６９，７１：第２表示部        ７５：設定ダイヤル
８０：温度設定ボタン          ８５：吹出モード設定ボタン
９０：風量設定ボタン    １０２，１０３，１０４：第１表示部
【図１】
2006264553.tif 000003
【図２】
2006264553.tif 000004
【図３】
2006264553.tif 000005
【図４】
2006264553.tif 000006
【図５】
2006264553.tif 000007
【図６】
2006264553.tif 000008
【図７】
2006264553.tif 000009
【図８】
2006264553.tif 000010
【図９】
2006264553.tif 000011